(57)【要約】【課題】バッテリーの脱着と蓋体の脱着を一挙に行うことができるバッテリーの提供。【解決手段】機器本体７の収納凹部５へ脱着するバッテリー１２を、バッテリー本体（電池６）と収納凹部５を閉鎖する蓋体８とで構成し、バッテリー本体と蓋体を接着やその他の手段で一体化する。【選択図】　　図３
0003097298.tif 000002
【実用新案登録請求の範囲】
【請求項１】
機器本体の収納凹部へ脱着するバッテリーであって、バッテリー本体を収納凹部を閉鎖する蓋体と一体にしてあるバッテリー。
【請求項２】
蓋体はその機器本体にのみ適合する形態であることを特徴とした請求項１に記載のバッテリー。
【請求項３】
蓋体は、同じバッテリー本体を利用できる機器に共用できる汎用の形態であることを特徴とした請求項１に記載のバッテリー。
【考案の詳細な説明】
【０００１】
【考案の属する技術分野】
本考案は、主として携帯電話、携帯型測定器あるいは携帯用ゲーム機等の電源として利用されるバッテリーに関する。
なお、本願において用語「バッテリー」は、再充電ができない電池、繰り返し充電が可能な電池及び一般に蓄電池と呼ばれるものを包含したものとする。
【０００２】
【従来の技術】
電源をバッテリーとする機器は、電力の消費によってバッテリーの交換、充電作業を避けることができない。この作業は、機器本体に設けてあるバッテリー収納凹部からバッテリーを取り出して行うことが多い。収納凹部には、危険防止やバッテリーの保護あるいは機器のデザイン上から凹部を閉鎖する蓋体を備えている。このため、バッテリーの脱着には、蓋体を脱着する作業がともなう。
【０００３】
【考案が解決しようとする課題】
このようなバッテリーの脱着作業は、単純であるが、時にバッテリーを装填するときの極性を間違えたり、蓋体の装着に手間どったりする。また、電池などバッテリー本体の性能が向上することにより、バッテリー本体が小形化しているが、狭い空間にはまり込んだ小さな電池や薄い電池は機器本体から取り出しにくく、装填する際にも戸惑う。そして、一般に、作業をすばやく済ませたい人にはバッテリーの脱着と蓋体の脱着をそれぞれの作業として行うことはまどろこしい。本考案は、バッテリーの脱着と蓋体の脱着を一挙に行うことができるバッテリーの提供を課題とする。
【０００４】
【課題を解決するための手段】
機器におけるバッテリー収納部を覆う蓋体と、電池などのバッテリー本体を一体化する。一体化の手段は、接着や一体成形あるいはねじによる両者の固定などである。これにより、機器本体から蓋体を外せばバッテリー本体も共に外れ、また、機器本体に蓋体を装着すれば同時にバッテリー本体も機器本体に収納される。しかも、その際、機器本体に対する蓋体の取り付け構造として、表面側と内面側が逆であっても装着可能であったり、あるいは左右が逆であっても装着可能な蓋体と言うものはバッテリーを使用する機器においてはほとんどないから、蓋体が間違って取り付けられることはなく、したがって、蓋体が装着されるとバッテリーも極性正しく装填されることになる。かつ、蓋体と一体であることにより、小さなバッテリー本体であっても取り扱いやすい。
【０００５】
さらに、蓋体は通常、機器本体に対してねじ止めや係合によって確実に固定されるように構成されているから、これと一体とされたバッテリー本体もまた機器本体との関係で確実に固定された状態となって、収納部に単にはめ込まれているだけのバッテリーのように振動や衝撃で端子間の接触が不良になるなどのことがない。
充電不可な使用済みバッテリー本体は蓋体と共に廃棄する。蓋体は新規のバッテリー本体と一体になって販売されているから、蓋体と共に廃棄しても支障はない。また、蓋体は通常、素材が合成樹脂でありコスト的にはわずかである。バッテリー本体が充電可能な電池、蓄電池の場合は、機器本体から取り外してそのまま（蓋体と共に）充電する。蓋体の形態や大きさを充電時の姿勢安定に利用することもできる。
【０００６】
【考案の実施の形態】
図１は携帯ゲーム機であり、小学校低学年程度の子供向きである。このゲーム機１は、いわゆる液晶画面２、操作ボタン３及び十字キー４を備え、背面側の収納部５（図２）に収納したリチウムイオン電池６（バッテリー本体）を電源としている。ゲームを実現するためのシステムと機構は公知のものである。収納部５は本体ケース７（機器本体）に対して着脱可能な蓋体８を有している。
【０００７】
蓋体８は、長方形の基体部９とその一方の長辺から側方に張り出したねじ止め部１０と反対側の長辺から張り出した係合部１１とを備え、基体部９の内面側に扁平な直方体型とした前記のリチウムイオン電池６（以下、電池）を接着により固定してある。電池６と基体部９とはもはや分離することができず、一体となった電池６と基体部９は全体として１個のバッテリー１２となる。
充電あるいは交換のために電池６を取り出すときはゲーム機１裏面のねじ１３を外して蓋体８を外す。電池６は蓋体８と共に取れてくる。したがって、蓋体８を取り外すという１回の作業で電池６を取り出すことができる。
【０００８】
本体ケース７へ電池６を装填するときは、この電池６は蓋体８と一体となっているから、蓋体８を本体ケース７へはめ込んでねじ１２をねじ込めば、蓋体８の固定と同時に電池６が装填される。このとき、蓋体８の形態は非対称で逆方向や反転した状態では本体ケース７に取り付かない。したがって、極性を間違えたりすることなく、１回の作業で電池６を確実に装填し、また、蓋体８を取り付けることができる。
なお、このような電池６は必ず蓋体８と一体となって販売され、使用済みの電池６は蓋体８ともども廃棄される。
【０００９】
このバッテリー１２に充電するときは、本体ケース７へ取り付けた状態で本体ケース７が備えた充電ジャックを利用して行う。ただし、図４のような専用の充電器１３を利用しても安全に充電できる。すなわち、充電器１３は基体部９と電池６が組み合わされた断面形態と相似な開口部１４を備え、その底部に充電用の電極が配置されている。開口部１４の深さは、蓋体８の側方に張り出したねじ止め部１０が充電器１３の上端部に当接したとき電池６の端子が充電器１３の端子と弾性的に接触する深さとする。
この構成によれば、バッテリー１２の断面形態は表裏方向で対称ではないので、極性を間違えて充電を開始してしまうことがない。また、ねじ止め部１０を利用してバッテリー１２を出し入れできるので、電池６に触ることが少なく、ねじ止め部１０がストッパーになって、強く押し込みすぎることも防止できる。
【００１０】
図５は、他のゲーム機１５に適用した第２の実施形態であり、ゲーム機１５の本体ケース１６の下面にバッテリー１７が１本のねじ１８により固定され、装着されている。バッテリー１７はリチウムイオン電池１９と裏蓋２０とからなり、裏蓋２０に電池１９が一体に接着されている。裏蓋２０は電池１９よりも大きく電池１９の周囲に余裕があり、電池収納凹部２１（図５）を裏蓋２０で覆うと共に前記の余裕部分で本体ケース１６に係合し、裏面側からねじ込むねじ１８によって本体ケース１６に固定される。
この実施形態では、裏蓋２０を取り付けた状態でその周縁部が本体ケース１６よりも裏蓋２０の肉厚分だけ盛り上がるが、電池１９を収納する凹部の形態を単純にできる利点がある。
【００１１】
以上、特定な形状の蓋体（裏蓋）を備えたバッテリーの実施形態について説明したが、蓋体の形態はバッテリー本体を一体化することができ、かつ、電池本体の収納凹部を閉鎖できる大きさのものであれば、形態や機器本体との着脱自在に固定できる構造は限定されない。蓋体の形態をだ円形や矩形など単純なものにして複数種の機器に共用で利用できるバッテリーとすることもできる。
バッテリー本体（電池）の形状は扁平な直方体に限らず、円筒状や柱状のものであっても良い。
バッテリー本体と蓋体との一体化は接着以外にねじ止め、一体成形、成形時の封入、成形後の封入などがある。
【００１２】
【考案の効果】
バッテリーの着脱に要する手間が軽減される。
蓋体と共に固定されるので、振動や衝撃でバッテリーと機器本体側との接触が不調となることが少ない。
蓋体と一体であるため、バッテリー本体が小さかったり、薄くても取り扱いやすい。
一体となっている蓋体を利用して、充電時にバッテリーの姿勢を安定に維持できる。
【図面の簡単な説明】
【図１】ゲーム機の上面を示した斜視図
【図２】ゲーム機の裏面側を示した斜視図
【図３】バッテリーの斜視図
【図４】充電の状態を示す斜視図
【図５】下面から見たゲーム機の斜視図（第２の実施形態）
【図６】バッテリーの内面側を見た斜視図（第２の実施形態）
【図７】バッテリーの外面側を見た斜視図（第２の実施形態）
【符号の説明】
１　ゲーム機
２　液晶画面
３　操作ボタン
４　十字キー
５　収納凹部
６　リチウムイオン電池
７　本体ケース（機器本体）
８　蓋体
９　基体部
１０　ねじ止め部
１１　係合部
１２　バッテリー
１３　ねじ
１４　開口部
１５　ゲーム機（以下、第２の実施形態）
１６　本体ケース
１７　バッテリー
１８　ねじ
１９　リチウムイオン電池
２０　裏蓋
２１　収納凹部
【図１】
0003097298.tif 000003
【図２】
0003097298.tif 000004
【図３】
0003097298.tif 000005
【図４】
0003097298.tif 000006
【図５】
0003097298.tif 000007
【図６】
0003097298.tif 000008
【図７】
0003097298.tif 000009